(57)【要約】【課題】  垂直に位置する少なくとも２つのテレテキストページを、１つの表示装置ないしスクリーンに上下に並べて表示する方法を提供すること。【解決手段】  テレテキスト情報を、表示装置で画素に基づいて構成される画像に表示する方法であって、下記の手順段階を行う同方法に関する。テレテキスト文字のシーケンスを含むテレテキスト信号を準備する。符号化されたテレテキスト文字それぞれに割り当てられ、かつ画素のマトリックスを含む文字を、１つの文字集合から選択する。選択された文字を画素に基づいて表示装置に表示する。その際第１と第２の文字集合を準備し、そして上記の符号化されたテレテキスト文字に割り当てられた文字が、テレテキストページを垂直方向に上下に並べて表示装置に表示すべきかどうかに従って、第１または第２の文字から選択される。【選択図】図７
2005031670.tif 000002
【特許請求の範囲】
【請求項１】
第１および第２のテレテキストページのテレテキスト情報を、垂直方向に上下に並べて、表示装置において画素に基づいて構成される画像に表示する方法であって、下記の手順段階を行う同方法：
―符号化されたテレテキスト文字のシーケンスを含むテレテキスト信号（ＴＴＳ）を準備する。
―それぞれｍ×ｎ画素を持つマトリックスから構成される文字を多数含む第１の文字集合を準備する。
―符号化されたテレテキスト文字それぞれに割り当てられた文字を、第１の文字集合から選択する。
―選択された文字を画素に基づいて表示装置（１６）に表示するが、この場合文字を表示するには、画像の偶数番目の各行には、その文字の画素マトリックスの第１の各行から得た画素情報を表示し、画像の奇数番目の各行には、その文字の画素マトリックスの第２の各行から得た画素情報を表示する。
【請求項２】
第３のテレテキストページのテレテキスト情報を、第１および第２のテレテキストページに対して画像水平方向にそれらの隣に表示するために、下記の手順段階を行う請求項１に記載の方法。
―それぞれｉ×ｊ画素から構成される文字を多数含む第２の文字集合を準備する。
―符号化されたテレテキスト文字それぞれに割り当てられた第３のテレテキストページの文字を、第２の文字集合から選択する。
―第３のテレテキストページの文字を表示装置に表示するため、画像の偶数番目の各行には、その文字の画素マトリックスの第１の各行から得た画素情報を表示し、画像の奇数番目の各行には、その文字の画素マトリックスの第２の各行から得た画素情報を表示する。
【請求項３】
その文字の画素マトリックスの第１および第２の各行が交代に配置されている、請求項１または２に記載の方法。
【請求項４】
ｍ＝ｉ、かつｎ＝２・ｊである、請求項１〜３のいずれかに記載の方法。
【請求項５】
ｍ＝ｉ＝１２、かつｊ＝１０である、請求項４に記載の方法。
【発明の詳細な説明】
【技術分野】
【０００１】
本発明は表示装置にテレテキストページを表示する方法に関する。
【背景技術】
【０００２】
今日市販されているテレビ受信機とビデオレコーダはテレテキスト処理ユニットを内蔵し、このユニットは、いわゆるカラー画像消去信号（ＦＢＡＳ）の映像帰線消去期間（Ｖｉｄｅｏ  Ｂｌａｎｋｉｎｇ  Ｉｎｔｅｒｖａｌ＝ＶＢＩ）に伝送されるテレテキスト信号をこのＦＢＡＳ信号から分離し、このテレテキスト情報をページごとにメモリにファイルするのに用いられる。この種のメモリは、テレテキストを最大数百ページ記憶し、希望に応じてこれをスクリーンに表示できるように形成されたものであり得る。
【０００３】
図１は、従来形テレテキスト処理ユニットの概略ブロック図であって、このユニットは、ＦＢＡＳ信号からテレテキスト信号を分離する分離段１０と、この分離段に後置された復号器１１とを備える。この復号器には、受信、復号されたテレテキストページを記憶するページメモリ１２が割り当てられている。
【０００４】
テレテキストデータは通常、データ転送速度６．９３７５ＭＨｚで伝送され、１ページの１文字ごとに７データビットと１パリティビットが伝送される。この種のバイナリデータシーケンスは、表示される文字、たとえばアルファベットの文字を表すものであって、以下では符号化された文字と呼ぶ。テレテキストデータは、このような符号化された文字の形態でメモリにファイルされている。
【０００５】
１テレテキスト行には通常４０文字を表示できる。これは、１行あたり３２０ビットのデータ量に相当する。１テレテキストページは通常２５行を含み、これらの行には０〜２４の番号がつけられている。その際行０は見出し行として用いられ、行１〜２３は送信者から伝送されたテキスト情報を含み、行２４は追加的な制御情報、たとえばページナビゲーションが送信者に支援されているならばＦＬＯＦ情報（ＦＬＯＦ＝Ｆｕｌｌ  Ｌｅｖｅｌ  Ｏｎｅ  Ｆｅａｔｕｒｅ）、たとえばページナビゲーションのためのＦＬＯＦ情報を含む。
【０００６】
テレテキストページの個々の文字は画素のマトリックスとしてスクリーンに表示されるが、今日のテレテキスト表示の場合、１文字あたり１２×１０画素、すなわち１０画素行と１２画素列の画素マトリックスが表示される。この場合いずれの画素も、ＲＧＢ画素情報によって特徴付けられている。１テレテキストページを表示するには、あるページに記憶されているバイナリに符号化されたいずれの文字にも、それぞれの文字を表す画素マトリックスが割り当てられ、そこから生じる個々の画素マトリックスシーケンスを、復号器に接続されたメモリ１４に画素としてファイルする。このメモリはスクリーン１６を制御する制御装置１５によって読み出され、個々の文字をスクリーン１６に表示することができる。
【０００７】
図１で参照記号１３を付したのは、表示可能な個々の文字に割り当てられた画素情報が記憶されているマトリックスメモリである。図２は、表示されるべき文字「Ａ」に割り当てられた１２×１０画素の画素マトリックスの例を示す。説明を簡単にするためこの例では、個々の画素にはＲＧＢ情報ではなく白黒のカラー情報だけを割り当てる。
【０００８】
従来のカラー画像は１行おきのフィールドのシーケンスとして伝送され、フィールドとしてスクリーンに表示される。１フィールドはＰＡＬテレビ基準で３１２．５画像行を含み、そのうち２８０行が目に見える。したがって１０画素行から構成される文字の場合、理論的には２８テレテキスト行をスクリーンに表示できることになる。個々のテレビ機器またはテレビ受信機はそれに左右されずに当然のことながら補間装置を備える。この補間装置は、フィールドシーケンスから、すなわちテレテキスト情報から検知されたフィールドシーケンスからフレームシーケンスを生成するように作られている。
【０００９】
テレテキスト情報を表示する従来の方法の場合、あるフィールドの偶数番目の行と、その偶数番目の行に割り当てられた後続フィールドの奇数番目の行とが、同一の画素情報を表示する。換言するならば、順次続く２つのフィールドはラスター位置が異なるだけで、その他の点では同一の情報を含む。このことを図３に文字「Ａ」の表示について図式的に説明したが、この図でフィールドＨＢ１は画像の偶数番目の行を、それに続くフィールドＨＢ２は奇数番目の行を含む。この場合フィールドＨＢ１の行２ｎ＋ｉの内容は、フィールドＨＢ２の行２ｎ＋ｉ＋１の内容に相当する。ただしｎは整数とする。
【００１０】
なお、水平方向に横に並ぶ２つのテレテキストページをスクリーンに表示する方法が知られている。この方法は、テレテキストページを表示するとき、画素周波数を高くすることを意図しているた（例えば特許文献１）。
【特許文献１】ヨーロッパ特許公報ＥＰ０５６１０２８Ｂ１
【発明の開示】
【発明が解決しようとする課題】
【００１１】
本発明の目的は、垂直に位置する少なくとも２つのテレテキストページを、１つの表示装置ないしスクリーンに上下に並べて表示する方法を提供することである。
【課題を解決するための手段】
【００１２】
この目的は、請求項１の諸特徴に記載した方法により解決される。この方法の有利な発展形を従属請求項に記載した。
本発明の方法は、第１および第２のテレテキストページのテレテキスト情報を、画素により構成された画像として垂直方向に上下に並べて、１つの表示装置に表示するものである。この方法が意図するのは、符号化されたテレテキスト文字のシーケンスを含むテレテキスト信号を準備することと、それぞれｍ×ｎ画素を持つマトリックスから構成される多数の文字を含む第１の文字集合を準備することである。いずれの符号化された文字についてもこの文字集合から１つの文字が選択され、選択された文字は画素として表示装置に表示される。その際文字を表示装置に表示するには、画像の偶数番目の各行にその文字の画素マトリックスの第１の各行に含まれる画素情報を表示し、画像の奇数番目の各行には、その文字の画素マトリックスの第２の各行に含まれる画素情報を表示する。
【００１３】
１つの文字の画素マトリックスの第１の各行は偶数番目の各行に対応し、画素マトリックスの第２の各行は奇数番目の各行に対応するか、あるいはその逆である。
１つの文字の画素マトリックスの第１の各行を、表示されるべき画像の偶数番目各行にこのように割り当てる場合、そして画素マトリックスの第２の各行を画像の奇数番目各行にこのように割り当てる場合、その画像表示がいわゆるＩｎｔｅｒｌａｃｅｄ−Ｍｏｄｅ（インターレースモード）で行われるのか、それともいわゆるＰｒｏｇｒｅｓｓｉｖｅ−Ｍｏｄｅ（プログレッシブモード）で行われるのかに依存しない。Ｉｎｔｅｒｌａｃｅｄ−Ｍｏｄｅでは、表示装置に表示するためにフィールドシーケンスを生成するが、その際順次続く個々のフィールドを生成するために、画像の偶数番目各行と奇数番目各行を交代に書き込む。Ｐｒｏｇｒｅｓｓｉｖｅ−Ｍｏｄｅでは、表示装置に表示するためにフレームシーケンスを生成するが、その際順次続く個々のフレームを生成するために、画像の偶数番目と奇数番目の各行を両方合わせて書き込む。
【００１４】
本発明の方法では、画像の垂直方向の解像度を従来の方法より倍増できるので、１２×１０画素を用いる従来の文字セットを使用する場合、２８テレテキスト行を表示するのにわずか１４０フィールド行または２８０フレーム行あればよい。これにより２つのテレテキストページを上下に並べて表示できる。
【００１５】
この方法を実現するため、好ましくは行に基づいて編成されたメモリを設ける。このメモリには、第１および第２のテレテキストページを形成する選択された文字の個々の画素による画像情報が記憶され、表示装置にこれらの文字を表示するため、この画像情報が読み出される。メモリに記憶されるべき画素情報の個数は、スクリーンに表示されるべき画素に相当するので、このメモリは表示装置の「反映」となる。
【００１６】
本発明の１つの実施形態が意図するのは、１つのスクリーンページに４つのテレテキストページを、すなわちテレテキストページを上下にそれぞれ２つ、水平方向にそれぞれ２つ表示することである。その結果４つの４分の１画面表示が得られ、４つの４分の１画面画像のいずれもが、１つのテレテキストページを表示装置に表示することになる。
【００１７】
好ましくはこの方法を実現するために、やはり行に基づいて編成されたメモリを設けるが、それぞれ第１の文字集合から構成されたテレテキストページ４つに関する画像情報を記憶できるようなメモリを選択する。このメモリは次のような周波数で読み出される。すなわち、スクリーンに左右並べて表示されるべき２つのテレテキストページがあるとき、その１画像行に含まれる画像情報が、表示されるべき画像の１行が構成される時間経過以内に読み出されるような周波数である。
【００１８】
本発明のもう１つの実施形態では、上下に並べて配置された第１および第２のテレテキストページに対して、第３のテレテキストページをただ１つだけ、画像の水平方向に並べて表示する。この方法は、それぞれの文字がｉ×ｊ画素を持つ１つのマトリックスから構成されものとして、そのような文字多数を含む第２の文字集合を設け、第３のテレテキストページの符号化されたいずれのテレテキスト文字についても、この文字集合から１つの文字を選択することを意図する。第３のテレテキストページの文字を表示装置に表示するためには、その文字の画素マトリックスの第１の各行に含まれる画素情報を、画像の偶数番目の行に表示し、その文字の画素マトリックスの第２の各行に含まれる画素情報を、画像の奇数番目の行に表示する。
【００１９】
この場合も、好ましくは画素マトリックスの第１の各行は偶数番目の行として、第２の各行は奇数番目の行とし、あるいはその逆とする。
１つの実施例が意図するところでは、ｍ＝ｉ、およびｎ＝２・ｊとして、その結果第１および第２の文字集合の個々の文字は同数の画素列を含むが、画素行の個数に関しては係数２相当分異なるだけとする。１２×１０画素を含む文字を持つ第１の文字集合の場合、第２の文字集合の文字に対しては、これらの文字が１２×２０画素を含むものとする。
【００２０】
この実施例の場合、第１または第２のテレテキストページの１行を表示するのに１０画素行を必要とするが、第３のテレテキストページの１行を表示するには２０画素行を必要とする。そのため第１と第２のテレテキストページを垂直に上下に並べて、第３のテレテキストページ１つの横に表示することができる。この結果生じる画像で、第３のテレテキストページは、第１および第２のテレテキストページをあわせたと同じ広さを垂直方向に取る。
【００２１】
ｍ＝ｉかつｎ＝２・ｊ、特にｍ＝ｉ＝１２かつｎ＝２０ないしｊ＝１０が成立する例では、第２の文字集合の各文字は、第１の文字集合のたとえばすでに存在する文字から簡単な方法で、たとえば次のようにして形成できる。すなわち、第１の文字集合のある１文字の行に関する画素情報が、第２の文字集合のある１文字の画素マトリックスの２つの順次続く行における画素情報に対応することにより形成できる。たとえば１２×２０画素を持つこの第２の文字集合の生成は、当然１回だけ行えばよく、その文字集合が記憶されなければならない。
【発明を実施するための最良の形態】
【００２２】
本発明を下記に図面を用いてさらに詳しく説明する。
各図では、別段の記載がない限り、同じ部品と同じ意味の信号には同じ参照記号を付してある。
【００２３】
本発明の重要な視点は、第１の文字集合を利用に供し、この第１の文字集合が含む文字は、それぞれｍ×ｎ画素を持つ画素マトリックスからなるものとすることにある。たとえば図４ａは、この第１の文字集合のテレテキスト文字「Ａ」の画素マトリックスを示すが、この表示された画素マトリックスは１２×１０画素を含む。
図４ａに示すテレテキスト文字と、後に説明するが図４ｂに示すテレテキスト文字とは、当然のことながら１つの文字集合から表示されるべきテレテキスト文字の単なる例であって、それらの文字には、少なくともアルファベットの大文字と通常用いられる句読記号とが含まれる。
【００２４】
１つの画像にテレテキスト文字を表示する従来の方法とは異なって、本発明の方法の場合に意図されるのは、画素に基づいてないしは行に基づいて構成される画像の偶数番目の各行に、個々の表示されるべき文字の画素マトリックスにおける第１の各行の画素情報を、たとえば偶数番目の各行の画素情報を、画像の奇数番目の各行に、上記マトリックスにおける第２の各行の画素情報を、たとえば奇数番目の各行の画素情報を表示することである。このことを次の図５に、図４ａに示した第１の文字集合の文字の場合として示した。
【００２５】
図４ａの画素マトリックスで、ＺＮｏは文字の個々の画素行の行番号を示し、Ｇは、個々の行がそれぞれの画素マトリックスの第１の各行か、第２の各行かを示す。その際「１」は第１の、この実施例では文字の画素マトリックスの偶数番目の各行を表し、「２」は第２の、この実施例では奇数番目の各行を表す。
【００２６】
この実施例では、文字の画素マトリックスの偶数番目の各行が、画像の偶数番目の各行に表示され、文字の画素マトリックスの奇数番目の各行が、画像の奇数番目の各行に表示されるものと前提する。画像あたり２行に１行だけ書き込まれるという、１行おきのフィールドのシーケンスを表示する場合、この方法の結果として、図４ａに示す文字「Ａ」の表示は図５ａに記載するものが得られる。ここでＨＢ１は、画像情報が偶数番目の各行に表示されているフィールドを示し、ＨＢ２は、画像情報が奇数番目の各行に表示されているフィールドを示す。
【００２７】
図５ｂは、図４ａに記載する文字を表示装置にフレームシーケンスとして表示した場合、すなわち画像情報が画像のすべての画像行に表示されている場合を示す。
本発明の方法によって垂直方向の画像解像度の倍増が可能となり、その結果２つのテレテキストページを垂直に上下並べて表示できる。このことを図８に示すが、２４テレテキスト行を持つ１テレテキストページの場合、ｍ×ｎ＝１２×１０画素を持つ第１の文字集合を用いるならば、２４０画像行しか必要としない。
【００２８】
この表示方法を実現するためには、たとえば行に基づいて編成されたメモリを設けて、テレテキストページを表示するため選択されたテレテキスト文字の画像情報を、このメモリに記憶させることができる。このメモリに記憶された画像情報は、表示されるべき画像の反映となり、このメモリは、表示装置に適合されながら、かつ表示装置が画像の個々の行を書き込む周波数をもって、読み出しを受ける。フィールドシーケンスを表示装置に表示するためには、その都度２行に１行の「メモリ行」が読み出され、そこから個々の文字の表示として図５ａの表示に相当するものが得られる。画像周波数が十分大きければ、文字の個々の部分が集まって人間の目には１つの文字を構成する。フレームを表示するには、いずれの表示されるべき画像に関してもメモリのあらゆるメモリ行を読み出し、そこから図５ｂのような個々の文字の表示が得られる。
【００２９】
すでに説明したようにメモリは、表示装置の垂直走査周波数、たとえば５０Ｈｚまたは１００Ｈｚに適合されながら読み出される。メモリの更新が必要になるのは、新しいテレテキストページを表示したいとき、かつそのため事前にメモリに記憶されるときに当然限られる。
【００３０】
本発明による方法の変形として、１つの画像に４つのテレテキストページを、しかも４分の１画面に１つのテレテキストページを表示することを意図する。その結果を図１０に示す。図１０が図式的に示す画像では、テレテキストページＴＴＸ１、ＴＴＸ２ないしＴＴＸ３、ＴＴＸ４を、画像の垂直方向に上下に並べて、そしてまた水平方向に横に並べて、それぞれ２つずつ表示している。個々のテレテキストページＴＴＸ１〜ＴＴＸ４は、それぞれｍ×ｎ画素を持つ第１の文字集合の文字から行をなして構成されている。この場合も、第１の文字集合から選択されて使用された文字の第１の各行が画像の第１の各行に、マトリックスの第２の各行が画像の第２の各行に表示される。
【００３１】
この方法を実行するため、好ましくは行に基づいて編成されたメモリを設け、４つのテレテキストページに関する画像情報を記憶するようにこのメモリを形成し、したがってこのメモリは、図８の画像の表示に必要なメモリの２倍の記憶容量を持つものとする。このメモリには、選択された文字ないしは付随する画像情報を、スクリーンにおける表示に対応して、行に基づいてファイルする。１つのテレテキスト行はｋ個の文字を含み、これらの文字はそれぞれｍ×ｎ画素からなると前提すると、メモリの１行には２・ｋ・ｍ個の画素に関する画像情報が記憶される。このメモリは、表示されるべき画像の垂直走査周波数に適合されて、次のような方法で読み出される。すなわち、表示されるべき画像の１画像行が書き込まれる時間経過の間に、１メモリ行が読み出されるという方法である。個々の文字は図１０の画像の形態では、個々の文字が図８の画像の形態を取る場合と比較すると、水平方向が圧縮されている。ただしこの場合両者の画像の寸法が等しいと想定する。
【００３２】
使用されるメモリは、図８の画像を表示する場合も、図９の画像を表示する場合も、上下に並んで表示される各２つのテレテキストページを収める。ただしこの場合１テレテキストページは、ｌ個のテレテキスト行を含み、２・ｌ・ｎ個の画像行に関する画像情報を記憶するように形成されているものと想定する。
【００３３】
本発明による方法のもう１つの実施形態では、上下に並んで表示される第１と第２の２つのテレテキストページＴＴＸ１、ＴＴＸ２の隣に１つ、第３のテレテキストページＴＴＸ３を、第１と第２のテレテキストページＴＴＸ１、ＴＴＸ２に対して、画像中水平方向の隣に表示することを意図する。
【００３４】
そのためには、第１と第２のテレテキストページＴＴＸ１、ＴＴＸ２で表示される文字を、ｍ×ｎ画素を持つ文字を含む第１の文字集合から選択し、第３の画像で表示される文字を、それぞれｉ×ｊ画素を持つ第２の文字集合から選択することを意図する。ここでｍ＝ｉ、かつｊ＝２・ｎである。
【００３５】
図４ｂは、第２の文字集合におけるテレテキスト文字「Ａ」の画素マトリックスの例を示す。この文字集合は１２×２０画素を含む。ここに示す例では、第２の文字集合において図４ｂに示された文字は、第１の文字集合において図４ａで示された文字から、次のようにして生まれている。すなわち図４ａにおける文字の１行の画素情報を、図４ｂにおける文字の２つの順次続く行に表すという方法である。ここから第２の文字集合の文字の場合は画素行の個数が、第１の文字集合の文字の画素行の個数の２倍になる。行に基づいて構成された画像にこの文字を表示するには、画素マトリックスの第１の各行、たとえば偶数番目の各行が、画像の偶数番目の各行に表示される。そして画素マトリックスの第２の各行、たとえば奇数番目の各行は、画像の奇数番目の各行に表示される。
【００３６】
図６ａは、第２の文字集合のうち図４ｂに記載する文字の表示を、１行おきのフィールドシーケンスを表示装置に表示する際の画像の一部を用いて示す。このＨＢ１は図５ａに対応するものでフィールドであり、このフィールドで偶数番目の行の画像情報が表示される。ＨＢ２は、奇数番目の行の画像情報が表示されるフィールドである。
図６ｂは上記に対応するものとして、図４ｂの文字がフレームとして表示装置に表示されたものを示す。
【００３７】
この方法を実現するには、図１０の画像を表示するメモリと同様なメモリが必要である。第３のテレテキストページを表示するには、第２の文字集合の文字を使用するため、第１または第２のテレテキストページを表示する場合の２倍の画像行が必要である。１テレテキスト行がｋ個の行、ｌ個の列からなると想定するならば、２・ｋ・ｍ×２・ｌ・ｎ個の画素情報を記憶するメモリが必要である。この場合メモリにおいて２・ｋ・ｍ個の画素情報を含むメモリ行が、表示されるべき画像の１行を書き込む時間経過の中で読み出される。
【００３８】
図７は本発明を実行するためのテレテキスト処理装置を示す。この装置には、ＦＢＡＳ信号から分離されたテレテキスト信号ＴＴＳが供給される。この装置は、ページメモリ２２が接続されている復号装置２１を備え、この復号装置では、テレテキスト信号ＴＴＳに含まれるテレテキスト情報を、ページとして記憶できる。テレテキストページの個々の文字は、たとえばバイナリに符号化されて、メモリにファイルされる。復号ユニット２１には、テレテキストページを決定するページ選択信号ＳＮｏを供給することができる。このテレテキストページは、表示装置１６に表示されるもので、メモリ２２にファイルされている。そのほか復号ユニット２１にはポジション信号ＰＯＳを供給することが出来る。このポジション信号は、表示装置１６の画像に表示したいテレテキストページの数と、これら個々のテレテキストページがあるべきポジションを指定する。このポジション信号ＰＯＳによって、たとえば２つのテレテキストページを、表示装置１６の画像中で垂直方向に上下に並べて表示することを決定できる。復号ユニット２１には、この実施例では２つのメモリブロック２３、２４から形成されるメモリ２３、２４が割り当てられている。これらメモリブロック２３、２４のいずれにも、異なる両者文字集合、すなわちｍ×ｎ画素を持つ文字を含む文字集合か、ｉ×ｊ画素の文字を含む文字集合かのいずれかが記憶されている。
【００３９】
復号ユニット２１は次の目的で形成されている。すなわち、表示されるべき複数のテレテキストページのページ数をも決定できるページ選択信号ＳＮｏに依存して、そのときどきのテレテキストページのデータをメモリ２２から読み出すという目的。読み出された符号化済みテレテキストデータに、第１のメモリブロックから得た第１の文字集合の文字、あるいは第２のメモリブロック２４から得た第２の文字集合の文字のいずれかを割り当てるという目的。そしてそこから生じた画素情報つきマトリックスを復号ユニット２１に後置されたメモリユニット１４に記憶させるという目的である。ポジション信号ＰＯＳが、図８の例のように２つのテレテキストページを上下に並べて表示せよと指定する場合、復号ユニット２１はこれらテレテキストページの符号化されたデータをページメモリ２２から読み出し、第１のメモリブロック２３から得た第１の文字集合の文字を個々のデータに割り当て、そこから生じた画素情報をメモリ１４にロードする。このメモリ１４は、スクリーン１６に画素情報を表示するため、表示装置１６を制御する制御装置１５によって読み出されるもので、たとえば上記の方法で行に基づいて編成されている。メモリ１４は好ましくは動的に拡張可能なものとする。そうすれば表示されるべき画像に応じて、図８の画像を表示するためにはｋ・ｍ×２・ｌ・ｎ個の画素情報を、図９または１０の画像を表示するためには２・ｋ・ｍ×２・ｌ・ｎ個の画素情報を記憶できるようになる。
【図面の簡単な説明】
【００４０】
【図１】従来の技術によるテレテキスト処理ユニットのブロック図略図。
【図２】１２×１０画素から構成される画素マトリックス。テレテキスト文字、この例では文字「Ａ」を表示するためのもの。
【図３】図２に記載の文字表示の図式的な説明。１行おきのフィールドによるフィールドシーケンス。
【図４】画素マトリックスを表示した例であって、第１の文字集合の文字「Ａ」（図４ａ）と、第２の文字集合の文字「Ａ」（図４ｂ）の例。本発明の方法に用いるもの。
【図５】１行おきのフィールド（図５ａ）のフィールドシーケンスと、フレームシーケンス（図５ｂ）における、第１の文字集合の文字表示を示す。
【図６】１行おきのフィールド（図６ａ）のフィールドシーケンスと、フレームシーケンス（図６ｂ）における、第２の文字集合の文字表示を示す。
【図７】本発明による方法を実行するためのテレテキスト処理装置を図式的に示す。
【図８】垂直方向に上下に並ぶテレテキストページを２つ含む画像を図式的に示す。
【図９】ここに図式的に示す画像は垂直方向と水平方向に二分され、上下に並ぶ２つのテレテキストページが、もう１つのテレテキストページの上下に並ぶ各ページと隣り合って配置されている。
【図１０】ここに図式的に示す画像は、上下にならぶ２つのテレテキストページと、上下に並ぶそのテレテキストページと隣り合う１つのテレテキストページを含む。
【符号の説明】
【００４１】
１０  分離装置
１１  復号ユニット
１２  ページメモリ
１３  マトリックスメモリ
１４  メモリユニット
１５  制御装置
１６  表示装置
２１  復号ユニット
２２  ページメモリ
２３、２４  マトリックスメモリ
ＦＢＡＳ  映像信号
ＰＯＳ  ポジション信号
Ｓｎｏ  ページ番号
ＴＴＳ  テレテキスト信号
ＴＴＸ１〜ＴＴＸ３  テレテキストページ
【図１】
2005031670.tif 000003
【図２】
2005031670.tif 000004
【図３】
2005031670.tif 000005
【図４】
2005031670.tif 000006
【図５】
2005031670.tif 000007
【図６】
2005031670.tif 000008
【図７】
2005031670.tif 000009
【図８】
2005031670.tif 000010
【図９】
2005031670.tif 000011
【図１０】
2005031670.tif 000012